(57)【要約】【課題】音声情報をユーザに高音質、かつ、十分な音量で伝達することが可能な炊飯器を得る。【解決手段】被炊飯物を入れる内鍋３０と、前記内鍋を取り出し可能に収容する内鍋収容部２０ａを有する炊飯器本体２０と、前記内鍋収容部を開閉可能に覆う蓋体１０と、前記内鍋を加熱する加熱手段２３と、前記加熱手段を制御する制御手段１８とを備えた炊飯器であって、音声情報を報知する音声情報伝達手段をさらに備え、前記音声情報伝達手段は、信号発生部４５と、前記蓋体または前記炊飯器本体の筐体に接触して配置された加振器４０とを有している。【選択図】図１
2018086246.tif 000002
【特許請求の範囲】
【請求項１】
被炊飯物を入れる内鍋と、
前記内鍋を取り出し可能に収容する内鍋収容部を有する炊飯器本体と、
前記内鍋収容部を開閉可能に覆う蓋体と、
前記内鍋を加熱する加熱手段と、
前記加熱手段を制御する制御手段とを備えた炊飯器であって、
音声情報を報知する音声情報伝達手段をさらに備え、
前記音声情報伝達手段は、信号発生部と、前記蓋体または前記炊飯器本体の筐体に接触して配置された加振器とを有していることを特徴とする炊飯器。
【請求項２】
前記加振器が、前記蓋体の上面を構成する筐体の内側面に接触して配置されている、請求項１に記載の炊飯器。
【請求項３】
前記加振器が、前記炊飯器本体の前面に位置する筐体の内側面に接触して配置されている、請求項１に記載の炊飯器。
【請求項４】
前記加振器が、前記筐体の湾曲部分に接触して配置されている、請求項１〜請求項３のいずれかに記載の炊飯器。
【請求項５】
前記加振器が接触している前記筐体部分が、周辺部分よりも肉厚に形成されている、請求項１〜４のいずれかに記載の炊飯器。
【請求項６】
前記加振器が接触している前記筐体部分の周囲を、前記筐体よりも剛性の低い部材で取り囲んでいる、請求項１〜５のいずれかに記載の炊飯器。
【請求項７】
前記蓋体が、上面を構成する筐体である上面プレートと蓋体本体とで構成され、前記加振器が取り付けられた前記上面プレートが前記蓋体本体に固着されている、請求項２に記載の炊飯器。
【請求項８】
前記加振器が取り付けられる前記上面プレートの加振器固着部分が、前記上面プレートの裏側面から突出した平面的に形成されたリブにより構成されている、請求項７に記載の炊飯器。
【請求項９】
前記平面的に形成されたリブは、互いに略平行に配置された複数本の縦リブと互いに略平行に配置された複数本の横リブとが略直交した格子状である、請求項８に記載の炊飯器。
【請求項１０】
前記加振器が、振動部分が固着される取付金具を有し、前記平面的に形成されたリブと一体に形成された加振器支持部に加振器の前記取付金具が固着されている、請求項８または９に記載の炊飯器。
【請求項１１】
前記音声情報が、ユーザによる操作部の操作を報知する情報であって、非可聴領域の周波数で前記加振器を振動させる振動制御信号に引き続いて前記加振器に入力される、請求項１に記載の炊飯器。
【発明の詳細な説明】
【技術分野】
【０００１】
本願は炊飯器に関し、特に、ユーザに対して音声情報を報知する音声ガイド機能を備えた炊飯器に関するものである。
【背景技術】
【０００２】
近年、炊飯器は、内鍋の周囲に配置された温度センサにより検出された内鍋温度に基づいて、加熱手段であるＩＨコイルやヒータへの通電電流をマイクロコンピュータによって制御し、吸水工程、昇温工程、炊き上げ工程（沸騰工程）、追い炊き工程、むらし工程という炊飯工程それぞれにおいて内鍋の温度を細かく調整することで、炊飯量や環境温度の変化に左右されずに、また、ユーザの好みにも応じて、おいしいお米を炊くことができるようになっている。
【０００３】
また、よりおいしいお米を炊くための手段として、蓋部に内鍋内部の圧力を調整可能な圧力弁を備え、昇温工程から炊き上げ工程にかけての高温工程で圧力弁を閉じることで内鍋内部の圧力を１気圧以上の高圧状態に保ち、より高い温度での沸騰状態を維持できるようにした圧力炊飯技術が適用された炊飯器も数多く提案されている。
【０００４】
さらに、炊き込みごはんなどの各種の具入りごはんや、おかゆ、麦飯、雑穀米などの炊飯にも対応した豊富な炊飯プログラムを備え、ユーザが操作ボタンでメニューを選択するだけで、おいしいごはんを炊くことができるものもある。
【０００５】
このような炊飯器において、炊飯プログラムの進行状況やユーザによる操作パネルの操作状況、ユーザの次の操作に対するガイダンス、異常発生時の警告などを、炊飯器内部に備えたスピーカーからの音声情報によって報知するものがある。音声情報を報知する炊飯器において、より良好な音声でユーザに情報を報知することを目的として、炊飯器本体の底面部材にスピーカーを載置するスピーカー台を一体的に設けて、スピーカーの振動板を下向きになるようにして筐体底面の開口部に対向させて取り付ける炊飯器が提案されている（特許文献１参照）。また、炊飯器本体の内鍋収容部の上方を覆う蓋体に放音孔を設けて、放音孔の内側にスピーカーを配するとともに、放音孔に空気を通すが水は通さない疎水膜を配置する炊飯器が提案されている（特許文献２参照）。
【先行技術文献】
【特許文献】
【０００６】
【特許文献１】特開２００９−１２５１９３号公報
【特許文献２】特開２０１１−０５６１６９号公報
【発明の概要】
【発明が解決しようとする課題】
【０００７】
上記従来の炊飯器は、音声情報の音質を向上させるために、炊飯器の外殻を形成する筐体に放音のための開口を形成して、この開口に音声情報を伝達するスピーカーのコーン部を対向させて配置するものである。
【０００８】
しかし、調理器具である炊飯器は、キッチンスペースに配置されるものであるために、炊飯器の蓋体の上面には本来的に水などがかかりやすい。また、炊飯器がキッチンストッカーなどに収納されている場合には、炊飯時に蒸気放出孔などから放出された蒸気が蓋体の上面部分に留まることを想定しなくてはならない。このように、炊飯器の蓋体の上面に音声情報を伝達するためのスピーカーに対応した開口部を形成することには困難が伴う。
【０００９】
このため、音声情報を高音質で伝達するための開口を形成するとしても、特許文献１に記載の発明のように炊飯器の下面から音を伝える構成や、特許文献２に記載の発明のように開口部に疎水膜を配置する構成とする必要があり、スピーカーからの音声がダイレクトにはユーザに伝わらず、十分な音質と音量で音声情報をユーザに伝達することはできなかった。
【００１０】
本願は、このような従来の炊飯器の課題を解決するものであり、音声情報をユーザに高音質、かつ、十分な音量で伝達することが可能な炊飯器を得ることを目的とする。
【課題を解決するための手段】
【００１１】
上記課題を解決するため、本願で開示する炊飯器は、被炊飯物を入れる内鍋と、前記内鍋を取り出し可能に収容する内鍋収容部を有する炊飯器本体と、前記内鍋収容部を開閉可能に覆う蓋体と、前記内鍋を加熱する加熱手段と、前記加熱手段を制御する制御手段とを備えた炊飯器であって、音声情報を報知する音声情報伝達手段をさらに備え、前記音声情報伝達手段は、信号発生部と、前記蓋体または前記炊飯器本体の筐体に接触して配置された加振器とを有していることを特徴とする。
【発明の効果】
【００１２】
本願で開示する炊飯器は、炊飯器の動作状態やユーザによる操作部の操作結果を伝達する音声情報を、加振器によって炊飯器の外殻を構成する筐体を振動させて生じた音声によってユーザに伝える。このようにすることで、籠もった音声ではない明瞭な音声でユーザに音声情報を伝達することができる。
【図面の簡単な説明】
【００１３】
【図１】実施形態にかかる炊飯器の外観を示す斜視図である。
【図２】実施形態にかかる炊飯器の内部の構成を示す断面図である。
【図３】実施形態にかかる炊飯器の蓋体上面に配置された操作パネルを説明する平面図である。
【図４】実施形態にかかる炊飯器の蓋体の上面全体の構成を説明する平面図である。
【図５】音声情報伝達手段である加振器の構成を説明する断面構成図である。
【図６】実施形態にかかる炊飯器における、加振器の配置位置を示すための外観斜視図である。
【図７】実施形態にかかる炊飯器における加振器の第１の配置構成例を説明する図である。
【図８】実施形態にかかる炊飯器における加振器の第２の配置構成例を説明する図である。
【図９】実施形態にかかる炊飯器における加振器の第３の配置構成例を説明する図である。
【図１０】加振器の取付構成例における上面プレートの裏側面の構成を説明する斜視図である。
【図１１】上面プレートの裏側面に形成された加振器固着部分の形状を説明するための要部拡大斜視図である。
【図１２】上面プレートの加振器固着部分に加振器が固着された状態を示す斜視図である。
【図１３】加振器の取付金具が固着される加振器支持部の構成を説明するための要部拡大斜視図である。
【発明を実施するための形態】
【００１４】
本願で開示する炊飯器は、被炊飯物を入れる内鍋と、前記内鍋を取り出し可能に収容する内鍋収容部を有する炊飯器本体と、前記内鍋収容部を開閉可能に覆う蓋体と、前記内鍋を加熱する加熱手段と、前記加熱手段を制御する制御手段とを備えた炊飯器であって、音声情報を報知する音声情報伝達手段をさらに備え、前記音声情報伝達手段は、信号発生部と、前記蓋体または前記炊飯器本体の筐体に接触して配置された加振器とを有している。
【００１５】
本願で開示する炊飯器は、上記のようにユーザに音声情報を報知する音声情報伝達手段として、信号発生部と炊飯器の蓋体または炊飯器本体の筐体に接触して配置された加振器とを有している。このように構成することで、信号発生部により生成された音声信号に基づいて、加振器によって炊飯器の筐体を振動させることで音声情報を音波に変換してユーザに伝達できる。このため、筐体内部にスピーカーを配置した場合と比較して、明瞭な高音質の音声情報をユーザに伝達することができるとともに、筐体に開口部を形成しないため、外部から水滴や蒸気などが筐体内部に進入することが無く、安全性、信頼性が高い炊飯器を実現することができる。
【００１６】
本願で開示する炊飯器において、前記加振器が、前記蓋体の上面を構成する筐体の内側面に接触して配置されている構成とすることができる。また、前記加振器が、前記炊飯器本体の前面に位置する筐体の内側面に接触して配置されている構成とすることができる。このようにすることで、炊飯器の筐体が振動して生じる音波を、途中で遮られることなくユーザに伝えることができる。
【００１７】
また、前記加振器が、前記筐体の湾曲部分に接触して配置されている構成とすること、または、前記加振器が接触している前記筐体部分が、周辺部分よりも肉厚に形成されている構成とすることが好ましい。このようにすることで、加振器を筐体の中で剛性が高い部分に接触させることができるので加振器の振動で筐体を確実に振動させることができ、高音質な音声情報をユーザに伝達することができる。
【００１８】
さらに、前記加振器が接触している前記筐体部分の周囲を、前記筐体よりも剛性の低い部材で取り囲んでいる構成とすることができる。このようにすることで、加振器に接触している筐体の部分をより大きく振動させることができ、音声情報の鮮明さと音量とを両立した状態で向上させることができる。
【００１９】
また、前記蓋体が、上面を構成する筐体である上面プレートと蓋体本体とで構成され、前記蓋体本体に前記加振器が取り付けられた前記上面プレートが固着されていることが好ましい。このようにすることで、蓋体の上面を構成する筐体への加振器の取付を容易に行うことができる。
【００２０】
この場合において、前記加振器が取り付けられる前記上面プレートの加振器固着部分が、前記上面プレートの裏側面から突出した平面的に形成されたリブにより構成されていることが好ましい。このようにすることで、上面プレートの加振器が取り付けられ部分の剛性を向上させることができるとともに、加振器の振動を上面プレートの広い領域に伝達することができる。
【００２１】
また、前記平面的に形成されたリブは、互いに略平行に配置された複数本の縦リブと互いに略平行に配置された複数本の横リブとが略直交した格子状であることが好ましい。このようにすることで、加振器固着部分としての平面状に形成されたリブを容易に実現することができる。
【００２２】
さらに、前記加振器が、振動部分が固着される取付金具を有し、前記平面的に形成されたリブと一体に形成された加振器支持部に加振器の前記取付金具が固着されていることが好ましい。このようにすることで、加振器を上面プレートの加振器固着部分に容易に、かつ、加振器の振動が確実に伝達するように固着することができる。
【００２３】
また、本願で開示する炊飯器として、前記音声情報が、ユーザによる操作部の操作を報知する情報であって、非可聴領域の周波数で前記加振器を振動させる振動制御信号に引き続いて前記加振器に入力されることが好ましい。このようにすることで、音声信号に基づいて筐体を振動させる加振器を用いて、操作者による操作部の操作を受け付けたことを伝達するアンサーバックを、炊飯器の筐体の振動として伝達することができる。
【００２４】
以下、本願で開示する炊飯器の実施形態として、内鍋内部の圧力を圧力弁により調節して圧力炊飯を行う炊飯器を例示して説明する。なお、本実施形態で例示する炊飯器は、高い蓄熱性によっておいしいお米を炊くことができる、非金属製の内鍋を備えた炊飯器である。
【００２５】
（実施の形態）
図１は、本実施形態にかかる炊飯器の外観を示す斜視図である。また、図２は、本実施形態にかかる炊飯器の断面構成を示す垂直方向断面図である。
【００２６】
図１および図２に示すように、本実施形態の炊飯器は、米と水、さらに、具入り炊飯モードでは野菜や豆類、肉類などの各種の具である被炊飯物を入れる内鍋３０と、この内鍋３０を内鍋収容部２０ａに収容することができる炊飯器本体２０と、炊飯器本体２０の内鍋収容部２０ａの上方を開閉可能に覆う蓋体１０とを有している。なお、図１、および、図２は、いずれも内鍋収容部２０ａに内鍋３０が収容された状態で、かつ、内鍋収容部２０ａを覆う蓋体１０が閉じた状態を示している。
【００２７】
本実施形態で例示する炊飯器では、デザイン上の観点から、また、汚れが付着しにくく、かつ、拭き取り掃除が容易となることを考慮して、炊飯器の上面をほぼ平坦な面として凹凸を無くしている。より具体的には、蓋体の表面から突出する操作ボタンを配置せず、ユーザが近づいたことを感知する人感センサ１１と、炊飯器の動作状況や操作指示状況などを表示する液晶などの画像表示デバイスを用いた表示部、および、メニューなどの文字表示部分をユーザがタッチして操作内容の選択を行うことができるタッチ入力部とを兼ねた入力装置１２が配置されている。
【００２８】
蓋体１０の後方側、すなわち、図１における右上奥方向の側には、炊飯器内部の圧力を調節する調圧機構の上端部分に位置する、蒸気放出口１３ａを備えた調圧キャップ１３が配置されている。また、蓋体１０の前方側、すなわち、図１における左下手前方向の側には、蓋体１０のロックを解除するロックボタン１４が配置されている。
【００２９】
本実施形態にかかる炊飯器では、人感センサ１１が赤外線などによってユーザが近くにいることを検知した場合には、入力装置１２と、入力装置１２の周囲の領域に配置されたタッチセンサとして構成された操作パネル１５とが動作して、入力装置１２の表示画面と操作パネル１５の操作ボタンが表示される。ユーザは、入力装置１２の画面に表示された文字情報や、操作パネル１５上に表示された操作ボタンをタッチすることで、炊飯、保温などの炊飯器の動作の指示や、白米炊飯モードや具入り炊飯モードなどの調理メニューの選択、保温時間や吸水開始までの時間などのタイマー設定を行うことができる。なお、入力装置１２と操作パネル１５との詳細は、図３を用いて後述する。
【００３０】
本実施形態にかかる炊飯器では、蓋体１０の後方側の角部近傍部分に、ユーザに音声情報を伝達する音声情報伝達手段としての加振器４０が、蓋体１０の外殻を構成する筐体の裏側面に接触して配置されている。加振器４０の構成やその配置位置の詳細については、図４等を用いて後述する。
【００３１】
図２に示すように、蓋体１０の内部には、蓋体１０が閉じた状態で内鍋３０内部の圧力を一気圧以上の所定の圧力に調整可能な、圧力調整手段である圧力弁１６が配置されている。図２では、本実施形態の炊飯器の圧力弁１６として、一例であるボール状圧力弁を図示している。なお、図２では、切断面の関係から一つのボール状圧力弁１６しか示されていないが、重さの異なる２種類のボール状圧力弁と、これら２つの圧力弁の動作を規制する規制手段を備えることにより、内鍋内部の気圧を、最も気圧の高い高圧状態と、高圧状態よりは低く大気圧よりも高い気圧である低圧状態、大気圧の状態である一気圧状態との３種類の圧力状態とすることができる。
【００３２】
なお、圧力調整手段として圧力弁を用いる場合には、弁の数や形状は上記説明したものに限られず、円板や矩形板などの板状の圧力弁など他の形状の圧力弁を１つ、２つ、もしくは、３つ以上用いるなど、さまざまな形態を採ることができる。さらに、圧力調整手段としては、弁を用いる以外にも、例えば、内鍋内部の圧力を測定する圧力センサと、この圧力センサで検出される圧力の値に基づいて適宜開閉動作を行う、ピエゾ素子などの電動素子または機械的に動作する各種の開閉手段を用いた通気口を用いるなど、さまざまな形態が考えられる。
【００３３】
内鍋３０内部の圧力を低下させるために圧力弁１６が開放された場合は、内鍋３０内部で発生した蒸気が、蓋体１０の上面に形成された調圧キャップ１３を経由して、調圧キャップ１３に形成された蒸気放出口１３ａを介して外部に放出される。調圧キャップ１３は、蓋体１０内部に形成されて内鍋３０方向に向かう経路１７に接続されているため、圧力炊飯時に調圧キャップ１３まで上がってきた蒸気が調圧キャップ１３内で気液分離して生じた「おねば」は、内鍋３０内に戻されるようになっている。
【００３４】
蓋体１０の上面における手前側中央部分のロックボタン１４は、蓋体１０が閉じている状態で押し込まれると、蓋体１０のロックが外れ、図示しないバネ機構により蓋体１０全体が後方側に開くようになっている。なお、安全性を高める観点から、炊飯工程の実行中に誤ってユーザがロックボタン１４に触れてもロックは解除されず、操作パネル１５に表示される操作ボタンから炊飯プログラムの停止が指示されていない状態では蓋体１０が開かないような設定とすることができる。
【００３５】
また、蓋体１０内部の入力装置１２の下側に位置する部分には、入力装置１２への表示画像の制御と入力装置１２表面でのユーザのタッチ位置の検出、操作パネル１５に各種操作ボタン類を表示するとともに、操作パネル１５におけるユーザのタッチ位置を検出して操作内容を判別する検出回路など、ユーザからの操作を受け付ける操作部を制御する各種の制御回路が搭載された回路部１８が配置されている。さらに、本実施形態の炊飯器において、ユーザにより設定された炊飯モードに従って所定の炊飯プログラムに従った炊飯工程を実行する制御手段が、マイコンを含む制御回路（図示せず）として、回路部１８を構成する回路基板上に搭載されている。また、ユーザに伝達される音声情報を形成して、加振器４０が所定の振動で振動するように制御する音声情報伝達手段の信号発生部４５も、回路部１８の回路基板上に搭載されている。
【００３６】
本実施形態の炊飯器では、回路部１８に配置されたマイコンを含む制御回路が、後述する温度センサからの出力に基づいて加熱手段２３（２３ａ、２３ｂ、２３ｃ）への電力供給を制御して、内鍋３０の温度制御を行うとともに、前記した圧力調整手段である圧力弁１６を制御して、内鍋３０内部の圧力を所定の値に調整する。
【００３７】
なお、加熱手段と圧力調整手段とを制御する制御手段である制御回路が、入力装置１２の下側の回路部１８に配置されていることは一例に過ぎない。加熱手段の調整と圧力調整手段の調整とが、それぞれ別の回路基板上に搭載された電気回路で行われる場合もあり、また、加熱手段と圧力調整手段とを制御する制御回路が、蓋体１０内の表示パネル１２の下部ではなく、例えば炊飯器本体２０内部に配置された回路基板上に配置される場合もある。同様に、音声情報伝達手段の一部である信号発生部４５も、回路部１８の回路基板上に配置されている場合に限られず、加振器４０の配置位置である蓋体１０の後方側角部近傍に信号発生部を配置する構成を採用することができる。
【００３８】
蓋体１０は、炊飯器本体２０のユーザから見て背面側（後方側）に当たる位置の上部に配置されたヒンジ機構２１により炊飯器本体２０に対して回動することで、内鍋収容部２０ａを開閉することができる。なお、ヒンジ機構２１には、ヒンジ軸の周りに配置された図示しないコイルバネが設けられていて、蓋体１０は、常に上方へと開く方向に付勢されている。このため、ユーザがロックボタン１４を押下して蓋体１０を開こうとした際には、蓋体１０はユーザからみて後方側に自ら開くように動作する。
【００３９】
蓋体１０が炊飯器本体２０の上面に押しつけられた状態でロックされた際、蓋体１０の内側表面に配置された円環状（ドーナツ状）のパッキン材１９が、内鍋３０の内側面３０ａの上端部近傍と内鍋３０の上端面部分３０ｂとに当接して、蓋体１０は、内鍋３０の内部の空間を気密状態で封鎖することができる。本実施形態の炊飯器では、内鍋３０は、内鍋収容部２０ａの底部に配置された弾性支持機構２２によって蓋体１０側に付勢されているため、気密状態を確実に維持することができ、内鍋３０内部を例えば１．２５気圧などの一気圧以上の所定の高圧状態とすることができる。
【００４０】
炊飯器本体２０の内鍋収容部２０ａの底面と側面の裏側部分には、加熱手段２３としての第１のワークコイル２３ａ、第２のワークコイル２３ｂ、加熱ヒータ２３ｃが設けられている。
【００４１】
第１のワークコイル２３ａは、内鍋３０の底面３１に対向するように内鍋収容部２０ａの底面の裏側に配置されている。内鍋収容部２０ａの底面中央には、内鍋３０の底面中央部の温度を検出する温度センサであるセンターセンサ２４が配置されているため、第１のワークコイル２３ａは、平面視すると中央に穴の開いた円環状になっている。
【００４２】
第２のワークコイル２３ｂは、内鍋３０の底面３１と側面３２との境界に位置する傾斜部分３３に対向するように配置されている。第２のワークコイル２３ｂも第１のワークコイル２３ａと同様に円環状となっている。
【００４３】
これら第１のワークコイル２３ａ、第２のワークコイル２３ｂは、高周波コイルとも称されるＩＨコイルであり、コイルに流れる電流により渦電流が生じて誘導加熱が起きるように、内鍋３０の第１のワークコイル２３ａ、第２のワークコイル２３ｂに対向する部分の外面側には、図示しない発熱体が配置されている。発熱体は、銀もしくはステンレスなどの金属薄膜がコーティングされたもの、もしくは、金属箔が転写されたものなどとして非金属製の内鍋３０の表面に形成されている。そして、第１のワークコイル２３ａ、第２のワークコイル２３ｂに電流を流すことによって発熱体が発熱し、この発熱体の発熱が非金属製の内鍋３０の温度を上昇させる。
【００４４】
なお、本実施形態では、発熱体が内鍋３０の外表面の、ワークコイル２３ａ、２３ｂに対向する部分に形成された例を示したが、発熱体はワークコイル２３からの誘導起電力により発熱して非金属製の内鍋３０の温度を上昇させることができる、いずれの位置に配置することもできる。
【００４５】
内鍋３０の側面３２に対向する内鍋収容部２０ａの側壁部分の裏側には、側面ヒータ２３ｃが配置されている。この側面ヒータ２３ｃは、電流が流れることにより発熱してその輻射熱で内鍋を温めるものであり、炊飯工程後の保温工程において内鍋３０を保温するために使用される。また、炊飯時に側面ヒータ２３ｃに電流を流すことで、側面ヒータ２３ｃを第１のワークコイル２３ａおよび第２のワークコイル２３ｂとともに、内鍋３０の加熱に使用することができる。
【００４６】
本実施形態の炊飯器では、これら第１のワークコイル２３ａ、第２のワークコイル２３ｂ、側面ヒータ２３ｃが加熱手段２３を構成しており、蓋体１０の回路部１８に搭載された制御回路により、それぞれに流れる電流量や電流を流す時間の長さが制御されることで、加熱手段２３のオンとオフ、また、オンの場合の発熱量の制御が行われる。なお、加熱手段２３として、上記の第１のワークコイル２３ａ、第２のワークコイル２３ｂ、側面ヒータ２３ｃの他にも、内鍋収容部２０ａの周囲の他の部分や蓋体１０の内部に、加熱のための誘導加熱コイルやヒータなどを配置することも可能である。
【００４７】
また、本実施形態の炊飯器では、内鍋収容部２０ａの底部、具体的には、内鍋３０の底面３１から傾斜部分３３にかかる部分と対向する位置に配置された保護枠として、内鍋３０と同様のセラミックなどの非金属材料により構成される、かまど部材２５が配置されている。このように、発熱体が配置されている内鍋３０の部分に対向する位置の内鍋収容部２０ａに、非金属製の保護枠であるかまど部材２５を配置することで、この保護枠部分を樹脂で構成する場合よりも耐熱性が向上する。このため、内鍋３０の最高温度としてより高い温度を許容することができ、非金属製の内鍋３０の蓄熱効果をより強く発揮させることができる。この結果、本実施形態にかかる炊飯器では、一層おいしいお米を炊くことができる。
【００４８】
炊飯器本体２０の背面側に配置されたヒンジ機構２１の下部には、炊飯器に電力を供給するために商用電源に接続される、図示しない電源プラグに接続された電源コードを収納するコードリール２７などが配置されている。
【００４９】
本実施形態の炊飯器に用いられている内鍋３０は、基体が焼き物であるいわゆる土鍋であり、基体部分はコーディエライト系の材料で形成されていて、成分としてＳｉＯ2を含んでいる。この基体部分の両面にリチア系の釉薬が塗布され、外表面には発熱体である銀ペーストがコーティングされている。また、内鍋３０の被炊飯物に接触する内表面には、アルミ溶射膜を介してフッ素コーティングが施されている。なお、上記内鍋３０の構成は例示であり、本実施形態の炊飯器として用いられる非金属製の内鍋としては、セラミックやガラス素材などの非金属製鍋、また、アルミやステンレスの金属層にセラミックや中空ガラスビーズなどの非金属部材の層をコーティングした内鍋などを好適に用いることができる。さらに、本実施形態にかかる炊飯器では、内鍋として、従来周知の銅やアルミ、ステンレスなどの金属層により形成される金属製内鍋を用いることもできる。
【００５０】
また、本実施形態の炊飯器では、センターセンサ２４以外にも、例えば蓋体１０の内鍋収容部２０ａと対向する部分や、炊飯器本体２０の内鍋３０の側面３２と対向する部分などに１または２以上の温度センサを配置することができる。本実施形態の炊飯器に用いられるセンターセンサ２４をはじめとする各温度センサは、例えばサーミスタに代表される熱的電気素子を用いて構成されるものなどの従来周知の各種の温度センサを、そのまま用いることができる。また、上記したように、内鍋収容部２０ａ内部の圧力を検出可能な圧力センサを配置し、内鍋３０内部の圧力数値を制御手段が把握する構成とすることもできる。
【００５１】
なお、図１および図２を用いて説明した本実施形態の炊飯器の全体の形状や、各部材の具体的な構成や配置はあくまで一例に過ぎず、本発明にかかる炊飯器において、上記図１および図２に例示した構成とは異なるさまざまな構成を採用することができる。
【００５２】
図３は、本実施形態にかかる炊飯器の蓋体の前方側の部分を示す平面図である。
【００５３】
図３では、人感センサ１１が、ユーザが近くにいることを検知して、入力装置１２と操作パネル１５とが動作し、入力装置１２の表示画面と操作パネル１５上とに、ユーザが操作内容を指示するための文字情報などの各種の情報表示と、操作ボタンとが表示された状態を示している。また、図３では、説明のために、入力装置１２の表示画面における全ての表示セグメントがＯＮ状態となって表示項目が全て表示された状態を示している。入力装置１２の表示画面での表示内容は、ユーザのタッチ動作によって変化するものであり、実際の炊飯器の動作状態では図３に示したように全ての表示項目が同時に表示されることはない。
【００５４】
本実施形態の炊飯器では、操作パネル１５は、入力装置１２とロックボタン１４との間の第１の領域１５ａと、入力装置１２の左側に位置する第２の領域１５ｂと、入力装置１２の右側に位置する第３の領域１５ｃとの３つの領域に分かれて配置されている。なお、第１の領域１５ａ、第２の領域１５ｂ、第３の領域１５ｃは、それぞれ、人感センサ１１がユーザの接近を感知すると所定の画像が表示される表示パネルとしての機能と、ユーザがタッチした位置を検出するタッチセンサとしての機能とを備えるタッチパネルである。本実施形態の炊飯器において、操作パネル１５の３つの領域１５ａ、１５ｂ、１５ｃは、それぞれを別々の３つのタッチパネルで構成することができる。また、３つの領域１５ａ、１５ｂ、１５ｃを備えた１枚の大きなタッチパネルで構成することができる。なお、入力装置１２と操作パネル１５（１５ａ、１５ｂ、１５ｃ）とにおいてタッチ位置を検出するセンサの方法としては特に限定はなく、静電容量方式をはじめとして、抵抗膜式、光学式などの従来知られている各種の原理に基づいたタッチセンサを使用することができる。
【００５５】
入力装置１２の表示画面は、上段側の部分に「炊込み」「おこわ」などの各炊飯メニューの文字表示１２ａと音声ガイド機能のＯＮ／ＯＦＦ表示や、保温工程種別などが表示され、下段には、タイマー機能を設定する時計表示１２ｂ、時刻・分を表示する時間表示部分１２ｃ、炊飯メニューに対応したアイコン１２ｄの表示部分が設定されている。
【００５６】
入力装置１２とロックボタン１４との間の操作パネル１５の第１の領域１５ａには、「予約」「炊飯」「取消」の３つの主操作ボタンが配置されている。入力装置１２の左側の操作パネル１５の第２の領域１５ｂには、「音声ガイド」「火かげん」「保温選択」「仕上り」の４つの操作ボタンが表示される。なお、「火かげん」ボタンと「仕上り」ボタンの上側には、それぞれのボタンの選択時に設定される程度を示す指標の表示部分が配置されている。入力装置１２の右側の操作パネル１５の第３の領域１５ｃには、「もどる・すすむ」ボタンと、「時・分」ボタンとが配置されている。これら２つのボタンは、それぞれのボタンの左側／右側をタッチすることで、選択されている炊飯メニューを随時右方向、左方向に変更したり、時刻表示と分表示の設定対象数値を変更したりすることができる。
【００５７】
ユーザは、自らの接近を人感センサ１１が感知することで表示されたタッチパネル上の各種のメニュー表示や操作ボタンをタッチして、炊飯メニューの選択や一部のこだわり炊飯メニューでの炊きあがり加減の調整、炊飯完了時間や吸水開始時間などのタイマー設定、現在時刻の設定、保温の有無を含めた保温時間の設定、その他、音声でのガイダンスを行うか、電子音、もしくは、メロディを鳴らすかという音声情報の種類の選択など、炊飯器の動作の設定を行うことができる。
【００５８】
次に「音声ガイド」モード時において、音声情報をユーザに報知する音声情報報知手段について説明する。
【００５９】
本実施形態の炊飯器では、蓋体１０における入力装置１２と操作パネル１５が配置されている部分の下方に配置された回路部１８に搭載された、信号発生部４５と、蓋体１０の外殻を構成する筐体の内側面に接触して配置された加振器４０とによって、音声報知手段が構成されている。
【００６０】
図４は、本実施形態にかかる炊飯器の、蓋体の構成を示す平面図である。
【００６１】
図４に示すように、蓋体１０の上面には、既に説明した人感センサ１１、入力装置１２、調圧キャップ１３、ロックボタン１４、操作パネル１５が配置されている。また、蓋体１０の右側奥の角部には、加振器４０が配置されている。なお、加振器４０は、蓋体１０の内部に、その上面が蓋体１０の上面を構成する筐体の内側の面に接触して配置されている。
【００６２】
図５は、加振器の構成を説明する要部断面図である。
【００６３】
図５に示すように、加振器４０は、環状のコイル４１と、ポールピース４２を備えた円板状のマグネット４３、マグネット４３の周囲に環状の溝部分を介して対向するヨーク部材４４とを有している。コイル４１は、マグネット４３とヨーク部材４４との間の溝部分内に、図示しないスプリングによって上下方向に移動可能な状態で吊り下げられている。
【００６４】
コイル４１に、図５中矢印Ａとして示す方向の電流が流れると、矢印Ｂとして示す磁界との作用によって、コイル４１に矢印Ｃとして示す上方向の力が加わる。コイル４１を流れる電流の方向と強さを変化させることで、コイル４１をマグネット４３およびヨーク部材４４に対して所望の周波数と振幅で上下に振動させることができる。このため、コイル４１の上面に接触して配置された部材を、同様に所望の周波数と振幅で振動させることができる。本実施形態の炊飯器の場合には、加振器４０と蓋体１０の筐体の内側の面とが接触して配置されているため、信号発生部４５から出力された音声信号によって蓋体１０の筐体を振動させて、音声信号を、空気中を伝搬する音波に変化させることができる。
【００６５】
このように、本実施形態にかかる炊飯器では、炊飯器の外殻を構成する筐体を振動板として音声を発することができるため、筐体の内部にスピーカーを配置した場合のような籠もった音声ではなく、明瞭に聞き取ることができる高音質で、かつ、より大きな音量の音声によってユーザに音声情報を報知することができる。
【００６６】
なお、本実施形態にかかる炊飯器において、音声情報を報知するために蓋体１０の筐体に接触して配置された加振器４０は、振動スピーカーとも称される部材であり、直径が２０数ｍｍから３０ｍｍ程度、厚さが２０ｍｍ程度から４０ｍｍ程度のものを良好に使用することができる。また、加振器４０で蓋体１０の筐体を振動させて音声信号を音波に変換する仕組みは、振動板を振動させる通常のスピーカーと同様の原理に基づくものであるため、音声信号を生成する信号発生部４５は、従来のスピーカーを用いて音声ガイドを行うために搭載されていた音声信号の生成回路をそのまま使用することができる。
【００６７】
図６は、本実施形態にかかる炊飯器における、音声情報伝達手段としての加振器の配置場所を説明する図である。
【００６８】
上述したように、本実施形態にかかる炊飯器では、蓋体１０の上面１０ａの右奥の角部に加振器４０を配置した。蓋体１０の上面１０ａを振動させて音声を発することによって、ユーザに直接、すなわち、ユーザとの間に音波を遮る部材が配置されていない状態で、音声情報を報知することができる。なお、蓋体１０上面１０ａの右奥の部分に加振器を配置したのは、炊飯器では蓋体１０のほぼ中央部が中心となるように炊飯器本体２０内に内鍋３０が収容されるため、蓋体１０の中央部分の、その下方に内鍋３０が配置される部分には、調圧キャップ１３などの内鍋３０の状態を制御する部材を優先的に配置する必要があり加振器４０を配置するスペースとしては好ましくない一方、蓋体１０の角部、特に、奥側の角部部分には、比較的自由なスペースがあるからである。本実施形態にかかる炊飯器では、加振器４０によって蓋体１０の上面１０ａ全体が振動して音声を発するため、加振器４０を蓋体１０の中央部分に配置する必要は無く、角部に配置しても音声情報の明瞭さや音量への影響が小さいからである。
【００６９】
なお、蓋体１０の奥側の角部であれば、図６に示したように右側の角部に限らず、左側の角部に配置することも同様に好ましい。
【００７０】
また、本実施形態にかかる炊飯器では、蓋体１０の角部に加振器４０を配置する代わりに、炊飯器本体２０に加振器４０を配置することができる。
【００７１】
図６では、加振器４０の配置位置の異なる例として、加振器４０’を炊飯器本体２０の前面２０ｂの筐体の内側面に配置した構成を示している。図６に異なる例として示したように、加振器４０を炊飯器本体２０の前面２０ｂの内側に配置することで、炊飯器本体２０の特に前面２０ｂ側の側面を振動させて音声情報を発することができる。言うまでもなく、炊飯器本体２０の前面２０ｂ側の側面はユーザに対向する面であるため、炊飯器本体２０の側面２０ｂに加振器４０を配置することによっても、ユーザに向かって直接的に音声情報を報知することができる。
【００７２】
なお、本実施形態で示した炊飯器では、蓋体１０または炊飯器本体２０の筐体を加振器４０で振動させて音声を発するものであるため、加振器４０の振動を正確に筐体に伝達することが、より高音質、かつ、大きな音量での音声を発する上で重要となる。このためには、加振器４０が接触して配置されている部分の筐体が、高い剛性を備えていることが好ましい。
【００７３】
図７は、加振器を筐体に配置する第１の構成例を示す断面図である。
【００７４】
図７に示すように、デザインの観点、または、機能的な必要性によって、筐体が曲面状の湾曲部分Ｒとして構成されている部分が存在する場合には、この湾曲部分Ｒの内側面に加振器４０を接触させて配置することが好ましい。平坦面の筐体部分よりも湾曲面となっている筐体部分の方が、剛性が高くなるからである。
【００７５】
なお、図６に示したように、本実施形態の炊飯器では、蓋体１０上面１０ａの奥側の角部近傍に加振器４０を配置している。蓋体１０の奥側の角部の近傍部分は、蓋体１０の上面と背面と側面との３つの面が交わる部分であるため、特に剛性が高く、より剛性が高い部分に加振器４０を接触させて配置すべきであるという観点からも、蓋体１０上面１０ａの奥側の角部近傍を加振器４０の配置場所とすることは好ましい選択である。
【００７６】
図８は、加振器を筐体に配置する第２の配置構成例を示す断面図である。
【００７７】
上述のように、加振器４０は筐体においてより剛性の高い部分に配置することが好ましい。図８に示すように、加振器４０を筐体の肉厚が周辺部分の肉厚よりも厚い部分に配置することで、加振器４０の振動をより良好に筐体に伝達することができる。
【００７８】
図６に示したように、加振器４０’を炊飯器本体２０の前面２０ｂに配置する場合、本実施形態の炊飯器では、デザイン性の観点から炊飯器本体の前面２０ｂの側面が平面状に形成されていて、中央部分には剛性が高い部分が存在しない。このような場合には、図８に断面を示すように、筐体の肉厚が厚い部分を形成して、その厚肉部分の内面側に加振器４０を接触させて配置することが好ましい。
【００７９】
例えば、本実施形態の炊飯器の場合、炊飯器本体２０の筐体は、厚さｔ１＝２ｍｍのＡＢＳポリカーボネート樹脂により形成されているが、加振器４０の配置部分の肉厚をｔ２＝２．５〜４ｍｍとすることで、加振器４０の振動を、より良好に筐体に伝達することができる。このように、加振器４０が配置される部分の肉厚ｔ２を周辺部分の肉厚ｔ１の１．２倍から３倍程度とすることが好ましい。
【００８０】
次に、本実施形態にかかる炊飯器のさらなる変形例を説明する。
【００８１】
図９は、本実施形態にかかる炊飯器において、加振器の配置場所のさらなる変形例を説明するための斜視図である。
【００８２】
図９に示すさらなる変形例の炊飯器は、蓋体１０の上面１０ａと側面１０ｂとが別体の部材として構成され、蓋体１０の上面１０ａと側面１０ｂとの境界部分に弾性を有する樹脂部材５０を環状に配置している。なお、蓋体１０の上面１０ａの構成は、図１に示した本実施形態の炊飯器の構成と同じであるため、同じ符号を付与して詳細な説明を省略する。
【００８３】
図９に示すように、加振器４０がその内側面に接触して配置された蓋体１０の上面１０ａの周囲を、蓋体１０の筐体よりも剛性の低い部材で形成することで、加振器４０が接触配置されている部分をより大きく振動させることができる。この結果、加振器４０により生じる振動が、より高音質で、かつ、大音量の音声としてユーザに報知される。
【００８４】
なお、図９に示す変形例では、加振器４０が配置された蓋体１０の上面１０ａ全体を囲んで蓋体１０の筐体よりも剛性の低い部材５０を配置した例を示したが、蓋体１０の上面１０ａのうち、加振器４０が接触する部分の周囲のみを取り囲むように剛性の低い部材を配置することで、加振器が接触して配置されている部分をその周辺部分に対して大きく振動させることができ、加振器により生成される音声の音質と音量の向上効果を得ることができる。
【００８５】
炊飯器では、図２を用いて説明したように、蓋体１０の内側面に内鍋３０の上端部と接するようにゴム製などの円環状のパッキン材１９が配置される。このパッキン材１９は、内鍋３０内部の空間の気圧を外部空間から隔離したり、内鍋３０内部の蒸気や水分などが、蓋体１０と炊飯器本体２０との間の部分に滲み出してくることを防止したりするためのものである。しかし、環状のパッキン材１９を有していることで、炊飯器本体２０に対してロックされて状態であっても、上下方向に外力を加えると蓋体１０を上下方向に動かすことができる裕度がある。このため、加振器４０を蓋体１０に取り付けること自体が、図９に示したような、加振器４０の配置部分の周囲を取り囲んで剛性の低い部材を配置することによる効果と類似する効果を得ることに繋がる。
【００８６】
次に、本実施形態にかかる炊飯器における、加振器を蓋体の上面を構成する筐体に固着する具体的手段の一例としての加振器取付構成例について図１０〜図１３を用いて説明する。
【００８７】
本実施形態で開示する炊飯器では、上述したように、蓋体１０に、内鍋３０内部の圧力を調整する圧力調整手段や、内鍋３０内部の蒸気を外部に放出する蒸気放出機構、さらに、炊飯器を所定の炊飯プログラムで動作させる制御回路が配置された回路部１８などの各種の機構部材を備えている。以下で説明する蓋体１０の上面を構成する筐体への加振器の固着方法を説明する加振器取付構成例では、蓋体１０が、これら各種機構部材が内部に配置された蓋体本体（図示せず）と、この蓋体本体の上面を覆って蓋体１０の上面を構成する筐体となる上面プレート６０とで構成されている。
【００８８】
図１０は、加振器を取り付ける蓋体の上面プレートの裏側面の構成を説明する斜視図である。
【００８９】
図１０に示すように、本構成例で説明する上面プレート６０は、炊飯器の外形に合わせて略矩形状に形成された板状部材であり、蓋体１０の上面となる上面プレート６０表面に対する裏側面６１には、略格子状に裏側面６１から突出するように設けられたリブによって加振器を固着する加振器固着部分６２が形成されている。
【００９０】
なお、上面プレート６０の裏側面６１には、図示を省略した複数のねじ受け部が突出するように形成されていて、上面プレート６０を蓋体本体に被せた状態で蓋体本体の側からねじ止めして、蓋体本体と上面プレートを一体化して蓋体１０を構成するようになっている。また、上面プレート６０には、調圧キャップ１３を露出させるための第１の開口部６３と、ロックボタン１４を露出させるための第２の開口部６４とが、それぞれ、蓋体本体に配置された蒸気放出機構の調圧キャップ１３とロックボタン１４との配置位置に対応して形成されている。さらに、上述したように、本実施形態の炊飯器では、ユーザの操作を受け付けるために蓋体１０の上面に入力装置１２や操作パネル１５が配置されており、上面プレート６０には、表面の側に入力装置１２と操作パネル１５とを備えた入力手段６５が配置されている。なお、図面の煩雑化を避けるために、図１０では、入力手段６５はその配置領域を点線で示すのみとしている。
【００９１】
図１０に示す加振器を固着する手段の構成例は、便宜上、加振器固着部分６２が蓋体１０の上面における向かって左側の後方寄りの部分に配置されたものを例示している。この構成例における、蓋体１０の上面を構成する筐体の加振器固着部分６２の配置位置を図６に示す。本構成例の場合は、加振器の配置位置が上記実施形態で例示説明した加振器４０の配置位置とは異なるが、上述したように、本実施形態にかかる炊飯器では、加振器を蓋体に配置する部分として内鍋３０の配置位置の上方となる蓋体１０の中心部近傍は好ましくなく実際に加振器を配置するスペースもとりにくいが、蓋体１０の中心部分を避けた蓋体１０の右側、または、蓋体１０の左側のいずれかの側方部分であれば、比較的容易に加振器を配置することができる。
【００９２】
図１１は、上面プレートの裏側面に形成された加振器固着部分の構成を説明するための要部拡大斜視図である。
【００９３】
図１１に示すように、本構成例の加振器固着部分６２では、上面プレート６０の裏側面６１から、縦方向（炊飯器の前後方向）に互いに略平行に延在する複数本の縦リブ６２ａと、横方向（炊飯器の左右方向）に互いに略平行に延在する複数本の横リブ６２ｂとが、上面プレート６０の裏側面６１に対して垂直に形成されていて、これら複数本の縦リブ６２ａと横リブ６２ｂとが略直交して、格子状の平面的に形成されたリブが形成されている。
【００９４】
なおここで平面的に形成されたリブとは、図１１に示した格子状のリブのように、少なくとも２以上の方向に延在する複数のリブが互いに接続されて、リブの形成領域が所定の面積を占めるようになっているものを言う。
【００９５】
本構成例では、さらに、加振器固着部分６２において加振器支持部６２ｃが格子状のリブと一体に形成されている。加振器支持部６２ｃは、加振器を加振器固着部分６２に固着するためのねじを受けるねじ受け部６２ｃ１と、加振器と加振器固着部分６２とをしっかりと接触させた状態で固着するための把持部６２ｃ２とから構成されている。
【００９６】
このように本構成例では、加振器を上面プレート６０に固着する加振器固着部分６２を複数の縦リブ６２ａと複数の横リブ６２ｂとで形成された格子状のリブで構成することで、加振器が固着される部分の上面プレート６０の剛性を効果的に高めることができる。また、加振器固着部分６２において加振器が実際に取り付けられる部分である加振器支持部６２ｃを格子状のリブと一体的に形成することで、加振器の振動を格子状のリブを介して上面プレート６０のより広い領域に直接伝達することができる。
【００９７】
また、本構成例では、格子状のリブによって形成された加振器固着部分６２の横方向の幅について、炊飯器の前方側、すなわち、入力装置１２や操作パネル１５が配置されている側の幅Ｗ１を、後方側、すなわち、蓋体１０を開閉自在とするヒンジ機構が配置されている側の幅Ｗ２よりも大きく形成している。このようにすることで、加振器の振動に伴って振動する加振器固着部分６２の振動を蓋体１０の前方側により強く伝達することができ、加振器によって上面プレート６０を振動させることによって生じる音声情報を、炊飯器を操作するユーザの方向により大きな音量で伝達することができる。
【００９８】
加振器固着部分６２は、上面プレート６０とは別部材で形成した後に、上面プレート６０の裏側面６１に接着して配置することができる。しかし、加振器固着部分６２と上面プレート６０を一体的に形成することで、加振器固着部分６２に伝わった加振器の振動をより確実に上面プレート６０に伝達することができるようになる。
【００９９】
なお、上面プレート６０と所定の高さを有するリブによって構成された加振器固着部分６２とを樹脂成型によって一体的に形成するためには、加振器固着部分６２において特に背が高くなる加振器支持部６２ｃの把持部６２ｃ２の形成のための抜き型部分が必要となる。図１０、図１１に示す本構成例の加振器固着部分６２でも、上面プレート６０における加振器支持部６２ｃの内側部分（図中左側の部分、使用時のユーザから見た場合には右側の部分）に縦リブ６２ａが形成されていないのはこのためである。また、上面プレート６０が蓋体本体と組み合わされる際に、蓋体本体の形状、特に蓋体本体内に配置される各種の機構部材の配置位置とその形状とから、上面プレート６０の裏側面６１において、リブの配置が制限される領域が存在する。
【０１００】
これらのことを踏まえて、上面プレート６０の裏側面６１に形成されるリブは、加振器が固着される部分の上面プレート６０の剛性を向上するという観点と、加振器の振動を上面プレート６０のより広い領域に確実に伝達するという観点とから、広い面積に連続して形成することが好ましい中で、一体成型を行う上での形状面での制約や、蓋体１０に配置される他の部材との干渉を避けるという制約とを加味して、適宜好ましいリブ形状に設定することとなる。
【０１０１】
本構成例では、加振器固着部分６２を縦リブ６２ａと横リブ６２ｂとが略直交する格子状のリブで構成した。しかし、本実施形態にかかる炊飯器において、蓋体の上面を構成する筐体の剛性を向上すると共に、加振器の振動をより広範囲に伝達することができる加振器固着部分は、図１０および図１１で示した格子状のリブによる構成には、限定されない。例えば、２組の互いに平行な複数のリブ同士が直交するのではなく斜めに交差して、多数の菱形、または、平行四辺形が形成されるようなリブ構成、多数の六角形が密接に並んだいわゆるハニカム構造、または、複数の同心円（半円、扇形を含む）が、径方向に延長する部材によって互いに接続された形態など、全体として平面的に構成された加振器固着部分を採用することができる。また、格子状のリブの一部分が埋められて部分的に市松模様となっているもの、一定の高さを持った筐体部分に連続してリブが形成されたものなど、筐体の剛性を向上させると共に加振器の振動を筐体のより広い領域に伝達することができる様々な形態の加振器固着部分を採用することができる。
【０１０２】
このように、本実施形態にかかる炊飯器では、蓋体の上面を構成する筐体に、平面的に形成されたリブなどによって構成された加振器固着部分を形成することで、より良好に加振器の振動を蓋体の上面を構成する筐体に伝達することができ、より大音量、高音質での音声ガイドを行うことができる。
【０１０３】
図１２に、加振器を加振器固着部分に固着した状態を示す。また、図１３に、加振器が固着された状態の加振器支持部の拡大図を示す。
【０１０４】
図１２に示すように、本構成例で用いられている加振器７０は、鋼製のヨーク７１とその内部に配置された図示されない一定の厚みを持った円板状のマグネットと、このマグネットの周囲に配置された中空円筒状の図示されないコイルと、コイルに固着されたアルミ合金製のスプリング部材７２とで振動部分が構成されている。そして、振動部分のスプリング部材７２が、取付金具７５にねじ７４で固着されることで、リード線７６からコイルに印加される音声信号に応じて生じるコイルとマグネットとの間の振動を、取付金具７５を介して外部に伝達する構成となっている。
【０１０５】
本構成例の加振器７０において取付金具７５は、スプリング部材７２がねじ止めされるプレート部分７５ａと、プレート部分７５ａの両端部からプレート部分７５ａに対して垂直な方向に延在する一対の脚部７５ｂと、一対の脚部７５ｂそれぞれの先端部に形成された固着部７５ｃとで構成され、全体として略「コ」の字状となっている。
【０１０６】
この固着部７５ｃを、ねじ７７で加振器支持部６２ｃのねじ受け部６２ｃ１にねじ止めして、上面プレート６０の加振器固着部分６２に加振器７０が固着される。
【０１０７】
本構成例では、加振器７０の振動をより強く加振器固着部分６２に伝達させるために、図１３に示すように、加振器支持部６２ｃのねじ受け部６２ｃ１の直径を大きくしてねじ穴の周囲の壁面の厚さを増大させると共に、ねじ受け部６２ｃ１に連続して形成された把持部６２ｃ２を設け、取付金具７０の脚部７５ｂの先端部分を、固着部７５ｃが延在する方向以外の三方から覆うようにしている。また、ねじ受け部６２ｃ１の上面プレート６０の裏面側６１となる底部に、把持部６２ｃ２の底部を延在させて一体的な肉厚部分を形成することで、ねじ受け部６２ｃ１と把持部６２ｃ２に伝わった取付金具７５の振動を、効率よく上面プレート６０に伝達できるようにしている。
【０１０８】
なお、図１２で示したように、本構成例では、加振器７０の振動部分が略「コ」の字状の取付金具７５の脚部７５ｂに包まれるようにスプリング部材７２をプレート部分７５ａの脚部７５ｂが延在する側に配置してねじ止めする構成としている。このため、蓋体１０が閉じられた炊飯器の実使用状態では、取付金具７５のプレート７５ａ上にコイルやマグネットで構成される振動部分が載る状態となる。これは、上面プレート６０を蓋体本体に取り付けた際に、蓋体本体内部の機構部材との干渉を避けるためであって、本実施形態で説明する炊飯器において必須の構成ではない。
【０１０９】
例えば、取付金具の脚部の長さを図１１に図示したものよりも短くして、図１１に示した状態において取付金具のプレート部の上側に振動部分をねじ止めして、炊飯器の実使用状態では上面プレートの加振器固着部分に固着された取付金具に、コイルやマグネットなどの振動部分がぶら下がるような構成とすることができる。さらに、加振器の取付金具を、脚部を有さない構成、すなわち、プレート部とその両端部に固着部とを設けた平板状の形状として、取付金具のより多くの面積を加振器固着部分に接触させる構成とすることもできる。
【０１１０】
本構成例として示したように、蓋体の上面を構成する上面プレートの加振器固着部分に加振器の取付金具を固着することで、上面プレートの剛性を高めると共に、加振器を上面プレートに容易に取り付けることができ、加振器の振動を確実に、かつ、上面プレートのより広い面積に伝達して、音声情報をより大きな音量、より高い音質でユーザに伝達することができる。
【０１１１】
以上説明したように、本実施形態にかかる炊飯器は、音声信号伝達手段として信号生成部と加振器とを備え、蓋体または炊飯器本体の筐体に接触して加振器を配置することにより、高音質で、かつ、大きな音量で、音声情報をユーザに報知することができる。
【０１１２】
なお、上記説明では、炊飯器として、蓋体の表面の操作部に操作ボタンが配置されず、タッチパネルを用いてユーザが炊飯器を操作する構成のものを例示した。
【０１１３】
このように、タッチパネルを用いてユーザが入力操作を行う炊飯器では、押下することで操作を検出する機械的なスイッチでの操作の場合のようなクリック感が生じないため、ユーザが操作パネルの操作を確実に行えたか否かが分かりづらい場合がある。そこで、音声情報報知手段として配置された加振器を、このようなユーザのタッチパネルへのタッチ操作に対するアンサーバックの手段として使用することが考えられる。
【０１１４】
例えば、アンサーバックのための振動として非可聴域の周波数、一例として１００Ｈｚ以下の信号を音声情報の一部の振動制御信号として加振器に印加することで、振動としてユーザにタッチパネルの操作を報知することができる。この場合には、ユーザによるタッチパネルへのタッチを検出したらすぐに加振器を一定時間（一例として０．１秒程度）振動制御信号によって振動させてアンサーバックとした後に、可聴域の音声振動によって音声情報を発するようにすることが好ましいと考えられる。
【０１１５】
なお、振動制御信号による加振器の振動は、タッチパネルへのタッチ操作に対するアンサーバックとしてのものであるため、加振器が振動させる筐体は、操作パネルが配置されている部材と同じ部材、すなわち、図１に示した実施例の場合には蓋体を振動させることが重要である。また、より高いレスポンスでアンサーバックを伝達するという観点からは、加振器をより操作パネルに近い位置に配置することが好ましいと考えられる。
【０１１６】
ただし、本実施形態にかかる炊飯器としては、タッチパネルによってユーザからの操作を受け付ける構成のものには限られず、所定のストロークで押下する操作ボタンを備えた操作部によってユーザが操作を行う炊飯器とすることができる。また、上記実施の形態では、炊飯器として、加熱炊飯を行い、さらに、非金属製の内鍋を備えたものを例示したが、これらの炊飯器の構成は、本願で開示する炊飯器において必須の構成ではない。
【０１１７】
また、上記実施形態では、圧力炊飯工程において、高圧状態を１．２５気圧、低圧状態を１．０５気圧として説明したが、圧力炊飯時におけるそれぞれの工程での圧力の数値は、炊飯器の圧力調整手段の構造や加熱手段、内鍋の材料、大きさ（炊飯可能量）、形状などの諸条件を勘案して適宜設計すべき数値である。さらに、圧力炊飯を行う炊飯器であるか否かは、本実施形態にかかる炊飯器として必須の構成ではない。
【０１１８】
また、上記実施形態では、追い炊き工程の途中に強制的な減圧を行って、内鍋の上部の「おねば」を撹拌する工程を含むものを例示したが、このような「おねば」の撹拌工程も必須のものではない。
【０１１９】
なお、上記実施形態において加振器を蓋体の上面を構成する筐体に固着する構成を説明した取付構成例では、蓋体が蓋体の上面を構成する筐体である上面プレートと、蓋体本体とで構成されるものを例示した。この場合において、上記の実施形態で説明した炊飯器が、デザイン上蓋体の上面が略平坦面として形成されているため、上面プレートが板状の部材である旨を説明した。しかし、炊飯器の蓋体の形状が、例えばその上面が上方に凸の緩やかな湾曲形状である場合には、上面プレートも全体的に緩やかな湾曲面となることは言うまでもない。また、上面プレートは蓋体の側面の上端部側まで延在して覆うような形状とすることができ、この場合の上面プレートは、平板状または湾曲面状のものには限られず、底面部分と比較的高さの低い側面部分とを備えた浅い皿状の部材として構成することができる。
【産業上の利用可能性】
【０１２０】
本願で開示する炊飯器は、音声ガイドを行う際に、より高音質で、かつ、大きな音量で各種の情報を音声情報としてユーザに伝達することができる炊飯器として、有用である。
【符号の説明】
【０１２１】
１０    蓋体
１８    回路部（制御手段）
２０    炊飯器本体
２０ａ  内鍋収容部
２３    加熱手段
３０    内鍋
４０    加振器（音声情報伝達手段）
４５    信号発生部（音声情報伝達手段）
【図１】
2018086246.tif 000003
【図２】
2018086246.tif 000004
【図３】
2018086246.tif 000005
【図４】
2018086246.tif 000006
【図５】
2018086246.tif 000007
【図６】
2018086246.tif 000008
【図７】
2018086246.tif 000009
【図８】
2018086246.tif 000010
【図９】
2018086246.tif 000011
【図１０】
2018086246.tif 000012
【図１１】
2018086246.tif 000013
【図１２】
2018086246.tif 000014
【図１３】
2018086246.tif 000015